(57)【要約】【課題】放電管を備えたプロジェクターにおいて効果的に省電力化を達成する。【解決手段】光源として放電管４５を備えるプロジェクター１であって、放電管４５に電力を供給する光源駆動部１９と、光源駆動部１９が放電管４５に供給する電力レベルを制御し、光源駆動部１９により所定電力レベルの電力を供給させる通常モードと、所定電力レベルより低い省電力レベルの電力を供給させる省電力モードと、を実行する電力制御部１０２と、を備え、電力制御部１０２は、省電力モードから通常モードに移行する場合に、光源駆動部１９から放電管４５に供給される電力レベルの変化を抑制する。【選択図】図１
2014126572.tif 000002
【特許請求の範囲】
【請求項１】
光源として放電管を備えるプロジェクターであって、
前記放電管に電力を供給する放電管駆動手段と、
前記放電管駆動手段が前記放電管に供給する電力レベルを制御し、前記放電管駆動手段により所定電力レベルの電力を供給させる通常モードと、前記所定電力レベルより低い省電力レベルの電力を供給させる省電力モードと、を実行する電力制御手段と、を備え、
前記電力制御手段は、前記省電力モードから前記通常モードに移行する場合に、前記放電管駆動手段から前記放電管に供給される電力レベルの変化を抑制すること、
を特徴とするプロジェクター。
【請求項２】
請求項１に記載のプロジェクターであって、
前記電力制御手段は、少なくとも、前記省電力レベルより高い中間電力レベルから前記所定電力レベルに移行する間の電力レベルの変化を抑制することを特徴とするプロジェクター。
【請求項３】
請求項２に記載のプロジェクターであって、
前記電力制御手段は、前記放電管駆動手段が供給する電力レベルを前記中間電力レベルから前記所定電力レベルに変更する過程の電力レベルの上昇の速度を、電力レベルを前記省電力レベルから前記中間電力レベルに変更する過程よりも遅くすることを特徴とするプロジェクター。
【請求項４】
請求項１または２記載のプロジェクターであって、
前記電力制御手段は、前記通常モードから前記省電力モードに移行する場合に、前記放電管に供給される電力レベルの変化を抑制することを特徴とするプロジェクター。
【請求項５】
請求項４記載のプロジェクターであって、
前記電力制御手段は、前記放電管に供給される電力レベルを、前記所定電力レベルより低く前記省電力レベルより高い低輝度レベルに設定可能であり、前記通常モードから前記省電力モードに移行する場合に、前記低輝度レベルまでは電力レベルの変化を抑制せず、前記低輝度レベルから前記省電力レベルまで変更する過程で電力レベルの変化を抑制することを特徴とするプロジェクター。
【請求項６】
請求項１から５のいずれかに記載のプロジェクターであって、
前記放電管と、前記放電管が発した光を変調する変調手段と、前記変調手段により変調された光を投射する投射光学系と、を有する投射手段と、
前記投射手段を制御して光を投射させる投射制御と、前記投射手段による投射を停止させる非投射制御とを実行する投射制御手段と、を備え、
前記電力制御手段は、前記投射制御手段によって前記放電管を消灯させる過程を含む前記非投射制御が実行される場合に、前記省電力モードに移行することを特徴とするプロジェクター。
【請求項７】
請求項６に記載のプロジェクターであって、
前記投射制御手段は、前記非投射制御として、所定の操作に応じて前記投射手段による投射を停止するミュート動作、前記プロジェクターへの操作がない状態で投射を停止して待機するスリープ動作、及び、前記投射光学系のカバーが閉じられている間に投射を停止するカバー対応動作のうち、少なくともいずれかを実行し、前記非投射制御において投射を停止してから所定時間が経過した場合に前記放電管を消灯させることを特徴とするプロジェクター。
【請求項８】
請求項７に記載のプロジェクターであって、
前記電力制御手段は、前記投射制御手段により前記スリープ動作が開始されてから予め設定された時間が経過するまで、前記省電力モードに移行しないことを特徴とするプロジェクター。
【請求項９】
請求項７または８に記載のプロジェクターであって、
前記ミュート動作、前記スリープ動作、及び前記カバー対応動作の少なくともいずれかについて、前記省電力モードに移行するか否かを設定する設定手段を備え、
前記電力制御手段は、前記投射制御手段によって前記ミュート動作、前記スリープ動作、及び前記カバー対応動作のいずれかが実行され、当該動作について前記設定手段により前記省電力モードを実行するよう設定されている場合に、前記省電力モードに移行することを特徴とするプロジェクター。
【請求項１０】
放電管を備えるプロジェクターの制御方法であって、
前記放電管に供給する電力レベルを制御し、前記放電管に所定電力レベルの電力を供給させる通常モードと、前記所定電力レベルより低い省電力レベルの電力を供給させる省電力モードと、を実行し、
前記省電力モードから前記通常モードに移行する場合に、前記放電管に供給される電力レベルの変化を抑制すること、
を特徴とするプロジェクターの制御方法。
【発明の詳細な説明】
【技術分野】
【０００１】
本発明は、プロジェクター、および、プロジェクターの制御方法に関する。
【背景技術】
【０００２】
従来、プロジェクターの光源として、高圧水銀ランプ等の放電管を用いたものが知られている。この種のプロジェクターの中において、放電管に供給する電力を低下させ、省電力化を図ったものが知られている（例えば、特許文献１参照）。例えば、特許文献１記載のプロジェクターは、周辺照度等によって放電管の供給電力を低下させることで、画質を損なわないように、投射中の消費電力量の抑制を図っている。
【先行技術文献】
【特許文献】
【０００３】
【特許文献１】特開２０１２−１０８２１６号公報
【発明の概要】
【発明が解決しようとする課題】
【０００４】
ところで、放電管の特性上、供給電力を変化させることが可能な範囲は制限されている。このため、従来のプロジェクターにおいて、供給電力を定格電力に比べて大幅に低下させる例は無かった。例えば特許文献１記載のプロジェクターは、投射中に放電管の供給電力を「高」と「低」の２段階に切り替えている。この例では、供給電力を「低」にしても投射が可能な輝度を得るため、供給電力を大幅に低下させることはできない。
本発明は、上述した事情に鑑みてなされたものであり、放電管を備えたプロジェクターにおいて効果的に省電力化を達成することを目的とする。
【課題を解決するための手段】
【０００５】
上記目的を達成するために、本発明は、光源として放電管を備えるプロジェクターであって、前記放電管に電力を供給する放電管駆動手段と、前記放電管駆動手段が前記放電管に供給する電力レベルを制御し、前記放電管駆動手段により所定電力レベルの電力を供給させる通常モードと、前記所定電力レベルより低い省電力レベルの電力を供給させる省電力モードと、を実行する電力制御手段と、を備え、前記電力制御手段は、前記省電力モードから前記通常モードに移行する場合に、前記放電管駆動手段から前記放電管に供給される電力レベルの変化を抑制すること、を特徴とする。
本発明によれば、放電管に供給する電力を省電力レベルにすることで省電力化を図ることが可能となる。また、放電管の供給電力を省電力レベルから通常時の所定電力レベルにする場合に電力レベルの変化を抑制し、急峻な電力レベルの変化を防止する。これにより、放電管の寿命への影響が懸念される電力レベルまで供給電力を低下させても、通常時の電力レベルに復帰する場合の放電管のダメージを防止できる。従って、放電管の供給電力を従来よりも大幅に低下させることが可能となり、効果的にプロジェクターの省電力化を達成できる。
【０００６】
また、上記構成において、前記電力制御手段は、少なくとも、前記省電力レベルより高い中間電力レベルから前記所定電力レベルに移行する間の電力レベルの変化を抑制する構成としてもよい。
この場合、通常時の供給電力レベルである所定電力レベルと省電力レベルとの間に中間電力レベルを設定し、供給電力を中間電力レベルから所定電力レベルに変化させる間に、電力レベルの変化を抑制する。つまり、供給電力を省電力レベルから中間電力レベルに変化させる間は電力レベルの変化を抑制しない制御が可能である。このため、放電管の寿命に影響を与えないように電力レベルの変化を抑制する制御と、放電管の寿命に影響しない範囲で速やかに電力レベルを変化させる制御とを両立できる。従って、効果的な省電力化を達成するとともに、放電管へのダメージを防止し、かつ、省電力モードから通常モードに移行するために要する時間を短縮できる。
【０００７】
また、上記構成において、前記電力制御手段は、前記放電管駆動手段が供給する電力レベルを前記中間電力レベルから前記所定電力レベルに変更する過程の電力レベルの上昇の速度を、電力レベルを前記省電力レベルから前記中間電力レベルに変更する過程よりも遅くする構成としてもよい。
この場合、放電管の供給電力を、中間電力レベルから所定電力レベルに上昇させる速度を、省電力レベルから中間電力レベルに上昇させる速度よりも低速にする。このため、省電力レベルを放電管の定格電力より大幅に低くした場合であっても、放電管のダメージを防止できる。従って、省電力レベルをより低くして、効果的な省電力化を達成できる。
【０００８】
また、上記構成において、前記電力制御手段は、前記通常モードから前記省電力モードに移行する場合に、前記放電管に供給される電力レベルの変化を抑制する構成としてもよい。
この場合、放電管に供給する電力を省電力レベルにする際に、電力レベルの変化を抑制し、急峻な電力レベルの変化を防止する。これにより、放電管の寿命への影響が懸念される電力レベルまで供給電力を低下させても、電力レベルを低下させる過程での放電管のダメージを防止できる。従って、放電管の供給電力を従来よりも大幅に低下させることが可能となり、効果的にプロジェクターの省電力化を達成できる。
【０００９】
また、上記構成において、前記電力制御手段は、前記放電管に供給される電力レベルを、前記所定電力レベルより低く前記省電力レベルより高い低輝度レベルに設定可能であり、前記通常モードから前記省電力モードに移行する場合に、前記低輝度レベルまでは電力レベルの変化を抑制せず、前記低輝度レベルから前記省電力レベルまで変更する過程で電力レベルの変化を抑制する構成としてもよい。
この場合、通常時の供給電力レベルである所定電力レベルと省電力レベルとの間に、低輝度レベルを設定し、供給電力を低輝度レベルから省電力レベルに低下させる間に、電力レベルの変化を抑制する。言い換えれば、供給電力を所定電力レベルから低輝度レベルに変化させる間は電力レベルの変化を抑制しない。このため、放電管の寿命に影響を与えないように電力レベルの変化を抑制する制御と、放電管の寿命に影響しない範囲で速やかに電力レベルを変化させる制御とを両立できる。従って、効果的な省電力化を達成するとともに、電力レベルを低下させる過程での放電管へのダメージを防止し、かつ、省電力モードに移行するために要する時間を短縮できる。
【００１０】
また、上記構成において、前記放電管と、前記放電管が発した光を変調する変調手段と、前記変調手段により変調された光を投射する投射光学系と、を有する投射手段と、前記投射手段を制御して光を投射させる投射制御と、前記投射手段による投射を停止させる非投射制御とを実行する投射制御手段と、を備え、前記電力制御手段は、前記投射制御手段によって前記放電管を消灯させる過程を含む前記非投射制御が実行される場合に、前記省電力モードに移行する構成としてもよい。
この場合、放電管を消灯させる過程を含むような制御が行われる場合に、放電管の供給電力を省電力レベルとする。例えば、省電力レベルを放電管の定格電力より大幅に低くした場合であっても、その後に放電管を消灯させる場合には放電管のダメージの心配がない。従って、省電力レベルを定格電力レベルより大幅に低くしても放電管へのダメージを回避できるので、より効果的な省電力化を達成できる。
【００１１】
また、上記構成において、前記投射制御手段は、前記非投射制御として、所定の操作に応じて前記投射手段による投射を停止するミュート動作、前記プロジェクターへの操作がない状態で投射を停止して待機するスリープ動作、及び、前記投射光学系のカバーが閉じられている間に投射を停止するカバー対応動作のうち、少なくともいずれかを実行し、前記非投射制御において投射を停止してから所定時間が経過した場合に前記放電管を消灯させる構成としてもよい。
この場合、ミュート動作、スリープ動作、またはカバー対応動作を行う場合に放電管を消灯させる前に、放電管の供給電力を低くして、効果的に省電力化を達成できる。また、ミュート動作、スリープ動作、またはカバー対応動作から通常の動作状態に復帰する場合には、電力レベルの変化が抑制されるため、省電力レベルを低く設定した場合であっても放電管の寿命への影響を防止できる。
【００１２】
また、上記構成において、前記電力制御手段は、前記投射制御手段により前記スリープ動作が開始されてから予め設定された時間が経過するまで、前記省電力モードに移行しない構成としてもよい。
この場合、スリープ動作が開始されてから短時間で操作が行われ、スリープ動作から通常の動作状態に復帰する場合の待ち時間を短縮できる。
【００１３】
また、上記構成において、前記ミュート動作、前記スリープ動作、及び前記カバー対応動作の少なくともいずれかについて、前記省電力モードに移行するか否かを設定する設定手段を備え、前記電力制御手段は、前記投射制御手段によって前記ミュート動作、前記スリープ動作、及び前記カバー対応動作のいずれかが実行され、当該動作について前記設定手段により前記省電力モードを実行するよう設定されている場合に、前記省電力モードに移行する構成としてもよい。
この場合、ミュート動作、スリープ動作、またはカバー対応動作が実行される際に放電管への供給電力を低下させるか否かを設定できる。このため、省電力モードから通常モードに復帰する場合の待ち時間とユーザーの使用傾向とを考慮した最適な動作を行わせることができる。これにより、利便性を損なうことなく、より効果的にプロジェクターの省電力化を達成できる。
【００１４】
また、上記目的を達成するために、本発明は、放電管を備えるプロジェクターの制御方法であって、前記放電管に供給する電力レベルを制御し、前記放電管に所定電力レベルの電力を供給させる通常モードと、前記所定電力レベルより低い省電力レベルの電力を供給させる省電力モードと、を実行し、前記省電力モードから前記通常モードに移行する場合に、前記放電管に供給される電力レベルの変化を抑制すること、を特徴とする。
本発明によれば、放電管に供給する電力を省電力レベルにすることで省電力化を図ることが可能となる。また、放電管の供給電力を省電力レベルから通常時の所定電力レベルにする場合に電力レベルの変化を抑制し、急峻な電力レベルの変化を防止する。これにより、放電管の寿命への影響が懸念される電力レベルまで供給電力を低下させても、通常時の電力レベルに復帰する場合の放電管のダメージを防止できる。従って、放電管の供給電力を従来よりも大幅に低下させることが可能となり、効果的にプロジェクターの省電力化を達成できる。
【発明の効果】
【００１５】
本発明によれば、放電管の供給電力を従来よりも大幅に低下させることが可能となり効果的にプロジェクターの省電力化を達成できる。
【図面の簡単な説明】
【００１６】
【図１】実施形態に係るプロジェクターの構成を示すブロック図である。
【図２】放電管の供給電力の変化を示す図表であり、（Ａ）はＡＶミュート動作時やカバー閉動作時に通常モードから省電力モードへ移行する例を示し、（Ｂ）はスリープモードの実行時に供給電力を通常モードから省電力モードに移行する例を示し、（Ｃ）は省電力モードから通常モードに移行する例を示す。
【図３】省電力モードの要否を設定するための設定画面の例を示す図である。
【図４】プロジェクターの動作を示すフローチャートである。
【図５】プロジェクターの動作を示すフローチャートである。
【発明を実施するための形態】
【００１７】
以下、図面を参照して本発明の実施形態について説明する。
図１は、実施形態に係るプロジェクター１の全体構成を示すブロック図である。プロジェクター１は、パーソナルコンピューターや各種映像プレーヤー等の外部の画像供給装置（図示略）に接続され、この画像供給装置から入力される入力画像データＳ１をスクリーンＳＣ等の投射面に投射する装置である。上記の画像供給装置としては、ビデオ再生装置、ＤＶＤ再生装置、テレビチューナー装置、ＣＡＴＶのセットトップボックス、ビデオゲーム装置等の映像出力装置、パーソナルコンピューター等が挙げられる。本実施形態では、画像供給装置から画像処理部１５に、動画像のデジタル画像データが入力画像データＳ１として入力される場合を例に挙げて説明する。このデジタル画像データには、画像データ自体とともに、当該デジタル画像データのフォーマット（立体映像のフォーマットや、フレームレート等を含む）に関する情報が含まれる。
プロジェクター１は、静止画像および動画像（映像）のいずれであっても表示可能である。以下の説明では、画像供給装置から入力される動画像を表示出力する場合を例に挙げて説明するが、以下の説明において入力画像データＳ１を表示する処理は、静止画像を表示する場合にもそのまま適用可能である。
【００１８】
プロジェクター１は、大きく分けて光学的な画像の形成を行う投射部４０（投射手段）と、この投射部４０により表示する画像を電気的に処理する画像処理系とからなる。投射部４０は、光源部４１、光変調装置４２（変調手段）、及び投射光学系４３から構成されている。光源部４１は、光源として、キセノンランプや超高圧水銀ランプ等の放電管４５を備えている。光源部４１は、放電管４５が発した光を光変調装置４２に導くリフレクター及び補助リフレクターを備えていてもよい。また、光源部４１は、投射光の光学特性を高めるためのレンズ群（図示略）、偏光板、光源が発した光の光量を光変調装置４２に至る経路上で低減させる調光素子等を備えていてもよい。
光変調装置４２は、光源部４１から射出された光を画像データに基づいて変調する変調手段に相当する。光変調装置４２は、例えば、ＲＧＢの各色に対応した３枚の透過型または反射型の液晶ライトバルブを用いた方式、３枚のデジタルミラーデバイスを用いた方式等により構成される。また、光変調装置４２は、光源が発した白色光に含まれる光のうちＲＧＢの光を透過するカラーホイールと、１枚のデジタルミラーデバイス（ＤＭＤ）とを組み合わせたＤＭＤ方式を採用してもよい。
本実施形態では、光変調装置４２を、液晶ライトバルブを用いた構成とする。この光変調装置４２は、複数の画素をマトリクス状に配置した透過型液晶パネルを備え、これら複数の画素により画像を形成し、放電管４５が発した光を変調する。光変調装置４２は、後述する光変調装置駆動部１７によって駆動され、マトリクス状に配置された各画素における光の透過率を変化させることにより、画像を形成する。
【００１９】
投射光学系４３は、投射する画像の拡大・縮小および焦点の調整を行うレンズ群、ズームの度合いを調整するズーム調整用モーター、フォーカスの調整を行うフォーカス調整用モーター等を備えている。投射光学系４３は、光変調装置４２で変調された光（画像光）をスクリーンＳＣに投射し、レンズ群を用いてスクリーンＳＣ上に結像させる。投射光学系４３が備えるレンズ群のうちプロジェクター１本体から露出するレンズを投射レンズ４６とする。
投射部４０には、制御部１０の制御に従って投射光学系４３が備える各モーターを駆動する投射光学系駆動部１８、及び、制御部１０の制御に従って光源部４１が備える光源を駆動する光源駆動部１９（放電管駆動手段）が接続されている。
【００２０】
また、投射レンズ４６の前方、すなわち外側にはレンズカバー３０が配置されている。レンズカバー３０は、投射部４０の投射光を遮るシャッターとして機能する。レンズカバー３０は、図示しない手動のスライド機構により、図中に破線で示す閉位置Ｃと、実線で示す開位置Ｏとの間で移動可能である。閉位置Ｃにおいて、レンズカバー３０は投射レンズ４６の前方を覆って、投射レンズ４６から射出される光を遮る。このため、レンズカバー３０が閉位置Ｃに位置している間は、放電管４５が点灯していても、スクリーンＳＣに光が届かない。レンズカバー３０は、開位置Ｏに位置している間は、投射レンズ４６から射出される光を遮らない。プロジェクター１は、カバー検出部３１を備えている。カバー検出部３１は、例えばスイッチ式または光学式のセンサーであり、レンズカバー３０が開位置Ｏにあるか否かを示す検出値を制御部１０に出力する。制御部１０は、カバー検出部３１の検出値に基づいて、レンズカバー３０が開位置Ｏにあるか、閉位置Ｃにあるかを判定できる。
【００２１】
この例では、制御部１０は、カバー検出部３１の検出値を取得して、レンズカバー３０が開位置Ｏにあるか否かを判定することにより、レンズカバー３０の位置が開位置Ｏか閉位置Ｃかを特定する。このため、制御部１０は、レンズカバー３０が開位置Ｏ以外の位置にある場合は、レンズカバー３０が閉じられていると判定する。
また、カバー検出部３１は、レンズカバー３０が閉位置Ｃにあるか否かを示す検出値を出力可能なものであってもよい。この場合、制御部１０は、カバー検出部３１の検出値を取得して、レンズカバー３０が閉位置Ｃにあるか否かを判定し、レンズカバー３０の位置を特定してもよい。つまり、制御部１０は、レンズカバー３０が閉位置Ｃにあればレンズカバー３０が閉じられていると判定し、レンズカバー３０が閉位置Ｃになければ（閉位置Ｃ以外の位置にある場合は）、開位置Ｏにあると判定する。
さらに、カバー検出部３１が、レンズカバー３０が開位置Ｏにあるか閉位置Ｃにあるかを示す検出値を出力してもよい。この場合、制御部１０は、カバー検出部３１の検出値に基づき、レンズカバー３０が開位置Ｏにあるか閉位置Ｃにあるかを判定する。
【００２２】
画像処理系は、プロジェクター１全体を統合的に制御する制御部１０を中心に構成される。この画像処理系は、記憶部１１、入力処理部１３、画像処理部１５、及び、光変調装置駆動部１７を備えている。
記憶部１１は、制御部１０が処理するデータや制御部１０が実行するプログラム等を記憶する。
入力処理部１３は、操作パネル５１及びリモコン受光部５２を介した操作を検出して、検出した操作に対応する操作信号を制御部１０に出力する。
画像処理部１５は、制御部１０の制御に従って入力画像データＳ１を処理する。画像処理部１５は、入力画像データＳ１に基づいてフレームメモリー１６にフレーム毎の画像を描画し、描画した画像を表示するための画像信号を生成して光変調装置駆動部１７に出力する。光変調装置駆動部１７は、画像処理部１５から出力される画像信号に基づいて光変調装置４２を駆動して描画を行う。
【００２３】
制御部１０は、記憶部１１に記憶された制御プログラムを読み出して実行することにより、プロジェクター１の各部を制御する。制御部１０は、入力処理部１３から入力される操作信号に基づいて、ユーザーが行った操作の内容を検出する。制御部１０は，検出した操作に対応して、画像処理部１５、光変調装置駆動部１７、投射光学系駆動部１８及び光源駆動部１９を制御して、スクリーンＳＣに映像を投射させる。
【００２４】
プロジェクター１の本体には、ユーザーが操作を行うための各種スイッチ及びインジケーターランプを備えた操作パネル５１が配置されている。操作パネル５１は入力処理部１３に接続されている。操作パネル５１のスイッチが操作されると、操作されたスイッチに対応する操作信号が入力処理部１３から制御部１０に出力される。また、入力処理部１３は、制御部１０の制御に従い、プロジェクター１の動作状態や設定状態に応じて操作パネル５１のインジケーターランプを適宜点灯或いは点滅させる。
プロジェクター１は、ユーザーが操作するリモコン５を有する。リモコン５は各種のボタンを備えており、これらのボタンの操作に対応して赤外線信号を送信する。プロジェクター１の本体には、リモコン５が発する赤外線信号を受光するリモコン受光部５２が配置されている。リモコン受光部５２は、リモコン５から受光した赤外線信号をデコードして、リモコン５における操作内容を示す操作信号を生成し、制御部１０に出力する。
【００２５】
記憶部１１には、上記の制御プログラムやデータの他、ＯＳＤ画像データ１１Ａが記憶される。ＯＳＤ画像データ１１Ａは、入力画像データＳ１とは別の画像データであり、入力画像データＳ１に基づく画像に重畳してスクリーンＳＣに表示される。ＯＳＤ画像データ１１Ａは、例えば、プロジェクター１の機能に係る設定を行う場合に表示されるメニュー画面用の画像である。本実施形態では、後述する設定画面６０（図３）の画像データがＯＳＤ画像データ１１Ａとして記憶されている。記憶部１１には複数のＯＳＤ画像データ１１Ａを記憶することも可能である。
【００２６】
制御部１０は、記憶部１１に記憶されているＯＳＤ画像データ１１Ａのうち、実行する処理の内容に適合するＯＳＤ画像データ１１Ａを読み出す。制御部１０は、読み出したＯＳＤ画像データ１１Ａを、入力画像データＳ１に重畳して表示するための処理を、画像処理部１５に実行させる。ここで、画像処理部１５は、入力画像データＳ１のフレーム毎の画像データにＯＳＤ画像データ１１Ａを重畳した画像をフレームメモリー１６にて描画し、画像を合成する。画像処理部１５は、フレームメモリー１６に描画した合成画像の表示信号を光変調装置駆動部１７に出力する。そして、光変調装置駆動部１７が光変調装置４２の液晶パネルに描画を行い、合成画像がスクリーンＳＣに投射される。なお、制御部１０は、入力画像データＳ１の表示を停止して、ＯＳＤ画像データ１１ＡのみをスクリーンＳＣに表示させることもできる。この場合、ＯＳＤ画像データ１１Ａの背景は、予め設定された背景色となる。
【００２７】
さらに、記憶部１１には、設定データ１１Ｂが記憶される。設定データ１１Ｂは、操作パネル５１やリモコン５の操作によって設定された内容のデータである。例えば、制御部１０がＯＳＤ画像データ１１Ａに基づき設定用画面を表示した状態で、設定対象の項目毎に、設定内容が設定データ１１Ｂとして記憶される。
制御部１０は、プロジェクター１の各部を制御する際に設定データ１１Ｂを参照し、この設定データ１１Ｂの設定内容に従って動作する。
【００２８】
制御部１０は、記憶部１１に記憶されたプログラムを実行して、投射制御部１０１、電力制御部１０２（電力制御手段）、設定処理部１０３（設定手段）、及びタイマー１０４として機能する。
投射制御部１０１は、画像処理部１５、光変調装置駆動部１７、投射光学系駆動部１８、及び光源駆動部１９を制御して、入力画像データＳ１に基づく画像をスクリーンＳＣに投射させる。以下の説明において、通常の投射状態とは、放電管４５が点灯し、光変調装置４２により何らかの画像が形成され、投射光がスクリーンＳＣに達している状態を指す。また、通常の投射状態では、光源駆動部１９が放電管４５に対し、放電管４５の定格電力を供給する構成としてもよい。
【００２９】
投射制御部１０１は、入力画像データＳ１の入力が無く、かつ、入力処理部１３から検出信号が入力されない間は、検出信号の入力が無い状態の継続時間（以下、非操作時間）をカウントする。投射制御部１０１は、時間のカウントにタイマー１０４を使用する。この非操作時間が、予め設定されたスリープ設定時間に達すると、投射制御部１０１はスリープモードに移行する。このスリープモードにおける動作は、スリープ動作に相当する。スリープモードにおいて、投射制御部１０１は、画像処理部１５及び光変調装置駆動部１７を制御して光変調装置４２により描画される画像を全黒とする。また、投射制御部１０１は、スリープモードにおいて、光源駆動部１９が放電管４５に供給する電力を、通常の投射状態より一段低い電力に切り替えてもよい。さらに、投射制御部１０１は、スリープモードにおいて入力処理部１３からの操作信号を検出する機能を除き、制御部１０の機能を停止させてもよく、画像処理部１５、光変調装置駆動部１７、投射光学系駆動部１８及び光源駆動部１９の機能を停止させてもよい。この場合、操作パネル５１及びリモコン５の操作が行われない間の消費電力を低減できる。スリープモードにおいて入力処理部１３からの操作信号または入力画像データＳ１のいずれかが入力されると、投射制御部１０１は通常の投射状態に復帰する。
【００３０】
投射制御部１０１は、操作パネル５１またはリモコン５の操作によってＡＶミュート動作の実行が指示されると、ＡＶミュート動作を開始する。ＡＶミュート動作は、スクリーンＳＣへの画像の投射を一時的に停止する動作である。ＡＶミュート動作の実行中、制御部１０は、画像処理部１５及び光変調装置駆動部１７を制御して光変調装置４２により描画される画像を全黒とする。ＡＶミュート動作は、入力画像データＳ１が入力されていても実行される。投射制御部１０１は、ＡＶミュート動作において、光源駆動部１９が放電管４５に供給する電力を、通常の投射状態より一段低い電力に切り替えてもよい。さらに、投射制御部１０１は、ＡＶミュート動作中は、入力処理部１３からの操作信号を検出する機能を除き、制御部１０の機能を停止させてもよい。また、画像処理部１５、光変調装置駆動部１７、投射光学系駆動部１８及び光源駆動部１９の機能を停止させてもよい。この場合、操作パネル５１及びリモコン５の操作が行われない間の消費電力を低減できる。
ＡＶミュート動作の実行中、投射制御部１０１は、リモコン５または操作パネル５１の操作によりＡＶミュートの解除が指示された場合に、通常の投射状態に復帰する。それ以外の操作が行われても、投射制御部１０１はＡＶミュート動作を継続する。
【００３１】
また、投射制御部１０１は、通常の投射状態において、カバー検出部３１の検出値を監視し、この検出値に基づいてレンズカバー３０の位置を判定する。カバー検出部３１が、レンズカバー３０が開位置Ｏにあることを示す検出値を出力している場合、投射制御部１０１は、レンズカバー３０が開位置Ｏにあると判定する。また、カバー検出部３１が、レンズカバー３０が開位置Ｏにないことを示す検出値を出力している場合、投射制御部１０１は、レンズカバー３０が閉位置Ｃにあると判定する。投射制御部１０１は、レンズカバー３０が閉位置Ｃにあると判定した場合、カバー閉動作を実行し、スクリーンＳＣへの画像光の投射を停止する。投射制御部１０１は、画像処理部１５及び光変調装置駆動部１７を制御して光変調装置４２により描画される画像を全黒とする。カバー閉動作は、入力画像データＳ１が入力されていても実行される。投射制御部１０１は、カバー閉動作中に、光源駆動部１９が放電管４５に供給する電力を、通常の投射状態より一段低い電力に切り替えてもよい。
投射制御部１０１は、カバー閉動作の実行中に、レンズカバー３０が開位置Ｏにあると判定した場合に、通常の投射状態に復帰する。投射制御部１０１は、入力画像データＳ１が入力されても、リモコン５または操作パネル５１の操作が行われても、レンズカバー３０が開位置Ｏにあると判定するまでカバー閉動作を継続する。そして、カバー検出部３１の検出値に基づいてレンズカバー３０が開位置Ｏにあると判定した場合に、通常の投射状態に復帰する。このため、投射制御部１０１は、例えばカバー閉動作中に、カバー検出部３１の検出値を取得してレンズカバー３０の位置を判定する機能を除き、制御部１０の機能を停止させてもよい。さらに、画像処理部１５、光変調装置駆動部１７、投射光学系駆動部１８及び光源駆動部１９の機能を停止させてもよい。この場合、レンズカバー３０が閉じられている間の消費電力を低減できる。
投射制御部１０１が実行するスリープモードの動作、ＡＶミュート動作、及びカバー閉動作を、非投射制御と呼ぶ。
【００３２】
電力制御部１０２は、光源駆動部１９を制御して、放電管４５の供給電力を切り替えさせる。光源駆動部１９は、放電管４５に対して定格電力を出力するだけでなく、定格電力及び定格より低い電力を含む範囲で、供給電力を変化させる。ここで、光源駆動部１９が放電管４５に供給する電力値を電力レベルまたはレベルと称する。光源駆動部１９は、出力電圧レベルを段階的に変化させてもよく、この場合の出力電圧レベルの区分の細かさは制限されない。
放電管４５は、定格レベルの電力が供給されると仕様を満足する輝度で発光するが、定格レベルより少し低いレベルの電力を供給して、仕様より低輝度で発光させることも可能である。さらに、放電管４５に、定格レベルより大幅に低い電力を供給して、より低輝度で発光させることも可能である。
【００３３】
放電管４５は供給される電力が定格より極端に低い状態が継続すると、内部の放電電極の形状が不適切になるなどの不具合を生じ、輝度の低下、発光の安定性の低下、寿命の短縮等を招く。一方で、供給電力が定格より極端に低い状態が短時間であれば、このような不具合の発生を防止できる。また、放電管４５の供給電力を、定格より極端に低いレベルから定格レベルに変更する場合に、レベルの上昇の速度が速いと、上述したような不具合を招くことがある。これは、放電により発光する一般的なランプに共通する現象である。このため、放電管を光源とする従来のプロジェクターは、放電管への供給電力のレベルを、定格レベルのみ、または、定格レベルと定格レベルより少し低いレベルの２段階のみとしていた。
本発明者らは、上述のように、放電管４５の供給電力を定格レベルより大幅に低いレベルにしても、その状態の継続時間が所定時間以内であれば不具合を回避できることに着目した。また、供給電力を定格レベルに上昇させる場合の、電力変化の速度を調整すれば、不具合を回避できることに着目した。
【００３４】
そこで、電力制御部１０２は、光源駆動部１９を制御して、通常モードと、低輝度モードと、省電力モードとの３つの動作モードを実行するものとした。通常モードは、放電管４５への供給電力を定格レベルにする動作モードである。低輝度モードは、放電管４５の供給電力を定格より少し低いレベルにする動作モードである。また、省電力モードは、放電管４５の供給電力を定格より大幅に低いレベルにする動作モードである。
さらに、電力制御部１０２は、放電管４５の不具合を防止するため、省電力モードの継続時間を制限する機能と、省電力モードから供給電力のレベルを上昇させる速度を制限する機能とを備えている。すなわち、電力制御部１０２は、省電力モードが予め設定された時間以上継続されないように、省電力モードを開始してからの時間を監視し、予め設定されたＯＦＦ時間に達した場合にプロジェクター１の電源をオフにする。
また、電力制御部１０２は、省電力モードから通常モードまたは低輝度モードに移行する場合に、放電管４５への供給電力のレベルを変化させる速度を抑制する。この速度は、放電管４５への供給電力のレベルを低輝度モードから通常モードに上げる速度よりも低速となる。
【００３５】
供給電力のレベルを通常モードから低輝度モードへ変化させる場合、及び、低輝度モードから通常モードへ変化させる場合、電力制御部１０２は、供給電力のレベルの変化を抑制しない。この場合、光源駆動部１９が放電管４５に供給する電力は、光源駆動部１９の内部の回路が実行可能な速度で変化する。この速度を、供給電力レベルの通常の変化速度とする。これに対し、供給電力のレベルを省電力モードに下げる場合、及び、省電力モードから上げる場合、電力制御部１０２は、光源駆動部１９が供給電力のレベルを変化させる速度を通常より遅くする。
【００３６】
図２は、放電管４５の供給電力の変化を示す図表であり、（Ａ）はＡＶミュート動作時やカバー閉動作時に通常モードから省電力モードへ移行する例を示し、（Ｂ）はスリープモードの実行時に供給電力を通常モードから省電力モードに移行する例を示し、（Ｃ）は省電力モードから通常モードに移行する例を示す。これら図２（Ａ）〜（Ｃ）は、縦軸を放電管４５の供給電力（Ｗ）とし、横軸を時間とする。また、縦軸の供給電力のレベルにおいて、定格レベル（所定電力レベル）をＮ、低輝度モードにおけるレベルをＮ’、省電力モードにおけるレベル（省電力レベル）をＬとして示す。
【００３７】
電力制御部１０２は、通常モードの実行中に省電力モードに移行する場合、まず、図２（Ａ）に示すように、光源駆動部１９を制御して、放電管４５の供給電力のレベルをレベルＮからレベルＮ’に変化させる（時刻ｔ１）。レベルＮからレベルＮ’への変化は、上述した通常の速度で行われ、図２（Ａ）に示すように速やかに供給電力が変化する。
続いて、電力制御部１０２は、放電管４５への供給電力のレベルを、時刻ｔ１からｔ２までの期間Ｔ１で、レベルＮ’からレベルＬに変化させる。この期間Ｔ１における供給電力のレベルの変化速度は、上述した通常の速度より遅く、予め定められた速度（例えば１０Ｗ／秒程度）である。図２（Ａ）に示す制御は、例えば、投射制御部１０１がＡＶミュート動作やカバー閉動作を実行する際に、電力制御部１０２により行われる。
【００３８】
また、投射制御部１０１がスリープモードに移行した場合、電力制御部１０２は、放電管４５の供給電力を省電力モードに移行させる制御を行う。この場合、電力制御部１０２は、図２（Ｂ）に示すように、放電管４５の供給電力のレベルを所定の期間Ｔ２だけ維持する。上述のように省電力モードから通常動作モードへ復帰する場合には供給電力のレベルを上昇させるために時間を要する。このため、スリープモードに移行する際に省電力モードに移行すると、スリープモードから復帰するときにユーザーを待たせてしまう。この待ち時間を発生しにくくするため、電力制御部１０２は、投射制御部１０１がスリープモードに移行してから待機の期間（期間Ｔ２）を設ける。スリープモードが維持されたまま期間Ｔ２が経過した場合に、電力制御部１０２は、省電力モードへ移行する。この制御により、図２（Ｂ）では、期間Ｔ２が経過した時点（時刻ｔ４）から、放電管４５への供給電力のレベルが低下する。時刻ｔ４で供給電力をレベルＮからレベルＮ´に低下させる速度は、上述した通常の速度であり、図２（Ｂ）では速やかに低下している。
そして、図２（Ｂ）の時刻ｔ４から後、すなわちレベルＮ´からレベルＬに供給電力を低下させる過程において、電力制御部１０２は、図２（Ａ）の期間Ｔ１と同様に、供給電力のレベルの変化速度を抑える制御を行う。
【００３９】
そして、電力制御部１０２は、省電力モードから通常モードに復帰する場合に、図２（Ｃ）に示すように、供給電力のレベルを上昇させる。
電力制御部１０２は、省電力モードの電力レベルＬから中間レベルＭまで、供給電力のレベルを上昇させる（時刻ｔ５）。中間レベルＭは、レベルＬと定格レベルＮとの間の所定の電力レベルである。放電管４５の供給電力がレベルＬからレベルＭまでの間で急峻に変動しても、放電管４５にダメージを生じないことが実験的に明らかになっている。電力制御部１０２は、通常モードに復帰するまでの時間を短くするため、レベルＭまでは急峻に供給電力のレベルを変化させる。レベルＬからレベルＭまでの供給電力レベルの変化速度は、上述した通常の速度であり、必ずしも瞬時にレベルＬからレベルＭに達しなくてもよい。なお、レベルＭの具体的な値は放電管４５の仕様等により決定される。また、レベルＭは、放電管４５の仕様等から求められる限界の値であってもよいし、所定の安全率でマージンをとった値であってもよい。
【００４０】
そして、電力制御部１０２は、図２（Ｃ）の期間Ｔ３において、放電管４５の供給電力のレベルの変化速度を一定以下に抑えながら、レベルＭからレベルＮまで供給電力を上昇させる。期間Ｔ３における変化速度は、予め設定された速度以下となっている。このため、時刻ｔ６まで待ち時間が発生する。なお、期間Ｔ３における供給電力のレベルの変化速度は、図２（Ａ）の期間Ｔ１における速度と同一であってもよいし、異なる速度であってもよい。図２（Ｃ）に示す動作は、スリープモード、ＡＶミュート動作、及びカバー閉動作のいずれかの実行時に省電力モードに移行した場合に、通常の投射状態に復帰する際に電力制御部１０２により実行される。
これら図２（Ａ）〜（Ｃ）に例示したように、投射制御部１０１が非投射制御を実行する場合、電力制御部１０２は、放電管４５の供給電力を制御して省電力モードに移行し、プロジェクター１の省電力化を図る。
期間Ｔ１、Ｔ２（スリープ設定時間）およびＴ３の長さと、ＯＦＦ設定時間の長さと、期間Ｔ１およびＴ３における供給電力のレベルの変化速度とは、いずれも予め設定され、設定データ１１Ｂとして記憶されている。電力制御部１０２は、設定データ１１Ｂの設定内容に従って上記の制御を行う。
【００４１】
電力制御部１０２は、投射制御部１０１が非投射制御を実行する場合に、必ず図２（Ａ）〜（Ｃ）に示したような制御を行う構成としてもよいが、本実施形態では、非投射制御に伴って省電力モードに移行するか否かを、ユーザーが設定できる。
図３は、省電力モードの要否を設定するための設定画面６０の例を示す図である。
この図３に示す設定画面６０は、投射制御部１０１の機能により、ＯＳＤ画像データ１１Ａに基づいて画像処理部１５を制御して、スクリーンＳＣに表示される。
【００４２】
リモコン５または操作パネル５１の操作により、設定メニューの表示が指示された場合、投射制御部１０１は、ＯＳＤ画像データ１１Ａを読み出して、投射部４０によって設定画面６０を表示させる。この設定画面６０が表示された状態では、リモコン５または操作パネル５１の操作によって、設定画面６０中の設定項目を選択し、各設定項目の内容を決定できる。設定処理部１０３は、この操作により決定された内容を取得し、設定項目毎に設定データ１１Ｂとして記憶する。既に設定された内容が変更された場合、設定処理部１０３は、変更後の設定内容に従って設定データ１１Ｂを更新する。
【００４３】
図３に例示する設定画面６０では、「ＡＶミュートタイマー」、「スリープモード時間」、「レンズカバータイマー」の設定項目が配置されている。ユーザーはリモコン５または操作パネル５１を操作して設定項目を選択し、省電力モードの要否を設定する。
設定画面６０の設定項目名「ＡＶミュートタイマー」は、ＡＶミュート動作の実行時に、ＡＶミュート動作が所定時間継続した後にプロジェクター１の電源をオフにする機能を設定することを示している。「ＡＶミュートタイマー」の設定値は「オン」と「オフ」である。設定値が「オン」の場合はＡＶミュートを所定時間継続するとプロジェクター１の電源がオフにされ、かつ、ＡＶミュート動作が実行される際に電力制御部１０２が省電力モードに移行する。これに対し、設定値が「オフ」の場合は、ＡＶミュート動作を所定時間より長く継続してもプロジェクター１の電源がオフにされない。さらに、設定値が「オフ」の場合は、電力制御部１０２は省電力モードに移行しない。「ＡＶミュートタイマー」に関する所定時間は、放電管４５の供給電力のレベルを省電力レベルにしても放電管４５の不具合を招かない時間となっており、具体的には上記の３０分である。ＡＶミュート動作中に省電力モードを実行する場合、放電管４５の不具合を防止するため、ＡＶミュート動作を３０分継続したらプロジェクター１の電源をオフにする必要がある。このようなプロジェクター１の動作、すなわち３０分経過したらプロジェクター１の電源をオフにするという動作をユーザーが選択した場合に、電力制御部１０２が省電力モードを実行可能となる。
【００４４】
設定画面６０の設定項目名「スリープモード」と「スリープモード時間」は、スリープモードを所定時間継続した後にプロジェクター１の電源をオフにする機能を設定することを示している。「スリープモード」の設定値は「オン」と「オフ」であり、「オン」に設定された場合、投射制御部１０１がスリープモードを実行可能となり、スリープモードにおいて電力制御部１０２が省電力モードに移行することになる。
さらに、「スリープモード」の設定値が「オン」の場合、スリープモードを一定時間実行した後にプロジェクター１の電源をオフにする機能も有効とされる。
「スリープモード時間」の設定は、「スリープモード」が「オン」に設定された場合に有効となる。「スリープモード時間」の設定値は「１０分」、「２０分」、「３０分」となっていて、スリープモードを３０分より長く継続する設定が行えない仕様である。この仕様により、電力制御部１０２が省電力モードを実行する時間は、最長で３０分に制限される。
言い換えれば、スリープモードの継続時間が３０分以下となり、その後はプロジェクター１の電源をオフにするように設定された場合に、電力制御部１０２が省電力モードを実行できるようになっている。
【００４５】
設定画面６０の設定項目名「レンズカバータイマー」は、レンズカバー３０の位置が閉位置Ｃであると判定され、カバー閉動作が所定時間継続した後に、プロジェクター１の電源をオフにする機能を設定することを示している。「レンズカバータイマー」の設定値は「オン」と「オフ」である。「オン」に設定された場合は、カバー閉動作を所定時間継続するとプロジェクター１の電源がオフにされ、かつ、カバー閉動作が実行される際に電力制御部１０２が省電力モードに移行する。これに対し、設定値が「オフ」の場合は、カバー閉動作を所定時間より長く継続してもプロジェクター１の電源がオフにされない。さらに、設定値が「オフ」の場合は、電力制御部１０２は省電力モードに移行しない。「レンズカバータイマー」に関する所定時間は、放電管４５の供給電力のレベルを省電力レベルにしても放電管４５の不具合を招かない時間となっており、具体的には上記の３０分である。カバー閉動作中に省電力モードを実行する場合、放電管４５の不具合を防止するため、カバー閉動作を３０分継続したらプロジェクター１の電源をオフにする必要がある。
【００４６】
このように、投射制御部１０１の非投射動作に関する設定画面６０の設定項目は、省電力モードを実行する場合に、放電管４５の不具合を防止するために必要なプロジェクター１の動作の可否をユーザーに選択させる構成となっている。そして、ユーザーによって、省電力モードに起因する放電管４５の不具合を防止するために必要なプロジェクター１の動作を行うことが選択され、設定された場合に、電力制御部１０２が省電力モードを実行可能となる。言い換えれば、ユーザーが省電力モードの実行に付随して必要なプロジェクター１の動作を許容した場合に省電力モードを実行可能となる。
従って、省電力モードにおいて、放電管４５の供給電力レベルを定格レベルより低いレベルにしても、省電力モードの継続時間が長いことに起因して放電管４５の不具合を招くことがない。また、ユーザーにとっては、省電力モードを選択した場合に必要になるプロジェクター１の動作が、意図に反して実行されてしまうことがなく、ユーザーの利便性を損なうことなく、効果的に省電力化を実現できる。
【００４７】
図４は、プロジェクター１の動作を示すフローチャートである。この図４は、プロジェクター１のスリープモードに係る動作及びＡＶミュート動作に係る一連の動作を示している。
上記のように、プロジェクター１は、通常の動作状態で、操作パネル５１またはリモコン５の操作や入力画像データＳ１の入力が無い状態が継続すると、スリープモードに移行する。また、プロジェクター１は、通常の動作状態やスリープモードの実行中に、ＡＶミュートの実行が指示されると、この指示に従ってＡＶミュート動作を開始する。図４には、これらの動作を示している。
【００４８】
プロジェクター１の電源が投入された後、制御部１０は通常の動作を実行し、操作パネル５１またはリモコン５における操作、もしくは入力画像データＳ１の入力など、入力に対する待機状態となる（ステップＳ１１）。投射制御部１０１は、ステップＳ１１で待機を開始する際に、タイマー１０４の機能によって待機時間のカウントを開始する。その後、入力がなされない間はこのカウントが継続される。
投射制御部１０１は、所定時間毎に、入力の有無を判定する（ステップＳ１２）。入力が無い場合（ステップＳ１２；Ｎｏ）、投射制御部１０１は、設定データ１１Ｂを参照して、スリープモードがオンに設定されているか否かを判定する（ステップＳ１３）。スリープモードの設定値のオン／オフは、上述したスリープ動作の実行の要否を示す。従って、投射制御部１０１は、スリープモードがオフに設定されている場合（ステップＳ１３）、ステップＳ１２に戻る。
【００４９】
スリープモードがオンに設定されている場合（ステップＳ１３；Ｙｅｓ）、投射制御部１０１は、ステップＳ１１でカウント開始した待機時間のカウント値を参照する。そして、投射制御部１０１は、待機時間が、スリープ動作を開始するための設定時間に達したか否かを判定する（ステップＳ１４）。この設定時間は、入力が無い状態でスリープ動作を開始するまでの待ち時間であり、例えば設定データ１１Ｂに含まれている。待機時間が設定時間に達していない場合（ステップＳ１４；Ｎｏ）、投射制御部１０１は、ステップＳ１２に戻って待機を継続する。また、待機時間が設定時間に達したと判定した場合（ステップＳ１４；Ｙｅｓ）、投射制御部１０１はスリープモードに移行する（ステップＳ１５）。ステップＳ１５で、投射制御部１０１はスリープモードに移行して、光変調装置４２における表示を全黒とする等の制御を行う。さらに、ステップＳ１５で、投射制御部１０１は、タイマー１０４がカウントしていた待機時間のカウント値をリセットして、スリープモードの実行時間のカウントを開始する。
【００５０】
スリープモードに移行した後、投射制御部１０１は、入力を待機する（ステップＳ１６）。投射制御部１０１は、所定時間毎に、ステップＳ１６で入力の有無を判定し、入力があった場合（ステップＳ１６；Ｙｅｓ）、投射制御部１０１は通常の投射状態に復帰する（ステップＳ１７）。投射制御部１０１は、入力に対応する動作を行うため、後述するステップＳ２４に移行する。
また、入力が無い場合（ステップＳ１６；Ｎｏ）、投射制御部１０１は、ステップＳ１５でカウントを開始したスリープモードの実行時間のカウント値を参照する。そして、投射制御部１０１はスリープモードの実行時間が予め設定された時間に達したか否かを判定する（ステップＳ１８）。ステップＳ１８の判定における「予め設定された時間」は、図２（Ｂ）に示した待機期間Ｔ２に相当する。
【００５１】
スリープモードの実行時間が設定された時間に達していない場合（ステップＳ１８；Ｎｏ）、投射制御部１０１はステップＳ１６に戻る。
一方、スリープモードの実行時間が設定された時間に達した場合（ステップＳ１８；Ｙｅｓ）、電力制御部１０２が光源駆動部１９を制御して、放電管４５への供給電力を通常モードから省電力モードに移行する（ステップＳ１９）。このステップＳ１９で、電力制御部１０２は、図２（Ｂ）の期間Ｔ２に示したように、光源駆動部１９が供給する電力を変化させる。また、ステップＳ１９では、投射制御部１０１がタイマー１０４によりカウントしているカウント値をリセットし、省電力モードの継続時間のカウントを開始させる。
【００５２】
省電力モードに移行した後、投射制御部１０１は、所定時間毎に入力の有無を判定し（ステップＳ２０）、入力があった場合（ステップＳ２０；Ｙｅｓ）、投射制御部１０１は通常の投射状態に復帰する（ステップＳ２１）。通常の投射状態に復帰した後、投射制御部１０１は、入力に対応する動作を行うため、後述するステップＳ２４に移行する。
このステップＳ２１で、電力制御部１０２は、放電管４５への供給電力を省電力モードから通常モードに復帰させる。電力制御部１０２は、図２（Ｃ）に示したように、まず省電力モードの供給電力レベル（レベルＬ）から中間のレベル（レベルＭ）まで供給電力のレベルを上げる。続いて、電力制御部１０２は、中間のレベルから定格電力レベルまで、抑制された速度で供給電力レベルを上昇させる。
また、入力が無い場合（ステップＳ２０；Ｎｏ）、投射制御部１０１は、ステップＳ１９でカウントを開始したカウント値を参照する。そして、投射制御部１０１は、省電力モードの継続時間のカウント値が予め設定された時間に達したか否かを判定する（ステップＳ２２）。ステップＳ２２の判定における「予め設定された時間」は、設定画面６０（図３）で設定された「スリープモード時間」の設定値である。
投射制御部１０１は、省電力モードの継続時間のカウント値が設定値に達していない場合（ステップＳ２２；Ｎｏ）、ステップＳ２０に戻る。また、省電力モードの継続時間のカウント値が設定値に達した場合（ステップＳ２２；Ｙｅｓ）、プロジェクター１の電源をオフにして（ステップＳ２３）、動作を終了する。
【００５３】
一方、入力があった場合（ステップＳ１２；Ｙｅｓ、ステップＳ１７；Ｙｅｓ、ステップＳ２０；Ｙｅｓ）、投射制御部１０１はステップＳ２４に移行する。ステップＳ２４で、投射制御部１０１は、カウントを実行しているタイマー１０４のカウント値をリセットする。続いて、投射制御部１０１は、入力の内容が、操作パネル５１またはリモコン５の操作によるＡＶミュート動作の指示であるか否かを判定する（ステップＳ２５）。入力内容がＡＶミュート動作の指示でない場合（ステップＳ２５；Ｎｏ）、投射制御部１０１は、入力に対応した動作を実行し（ステップＳ２６）、ステップＳ１１に戻る。
【００５４】
また、入力内容がＡＶミュート動作の指示である場合（ステップＳ２５；Ｙｅｓ）、投射制御部１０１はＡＶミュート動作を開始し、光変調装置４２の表示を全黒にする等の制御を行う（ステップＳ２７）。次いで、投射制御部１０１は、設定データ１１Ｂを参照し、ＡＶミュートタイマー設定の設定値が「オン」であるか「オフ」であるかを判定する（ステップＳ２８）。ＡＶミュートタイマー設定の設定値は、設定画面６０（図３）において「ＡＶミュートタイマー」の項目に基づき設定された値である。ＡＶミュートタイマーの設定値が「オフ」である場合（ステップＳ２８；Ｎｏ）、投射制御部１０１は、ＡＶミュートからの復帰を指示する操作を待機する（ステップＳ２９）。ＡＶミュートからの復帰を指示する操作があった場合（ステップＳ２９；Ｙｅｓ）、投射制御部１０１は、ＡＶミュートを解除して通常の投射状態に復帰し（ステップＳ３０）、ステップＳ１１に戻る。
【００５５】
ＡＶミュートタイマーの設定値が「オン」である場合（ステップＳ２８；Ｙｅｓ）、投射制御部１０１は、タイマー１０４によりＡＶミュートの継続時間のカウントを開始し、電力制御部１０２が省電力モードに移行する（ステップＳ３１）。このステップＳ３１で、電力制御部１０２は、図２（Ａ）の期間Ｔ１に示したように、光源駆動部１９が供給する電力を変化させる。
省電力モードに移行した後、投射制御部１０１は、所定時間毎に、ＡＶミュートからの復帰を指示する操作の有無を判定する（ステップＳ３２）。復帰の指示があった場合（ステップＳ３２；Ｙｅｓ）、投射制御部１０１は、ＡＶミュートを解除して通常の投射状態に復帰し、タイマー１０４のカウント値をリセットする（ステップＳ３３）。ここで、電力制御部１０２は省電力モードから通常モードに移行する（ステップＳ３４）。電力制御部１０２は、図２（Ｃ）に示したように、省電力モードの供給電力レベルから中間のレベルＭまで供給電力のレベルを上げ、その後、所定の速度以下で定格レベルまで上昇させる。
【００５６】
また、ＡＶミュートからの復帰の指示が無い場合（ステップＳ３２；Ｎｏ）、投射制御部１０１は、ステップＳ３１でカウントを開始したカウント値を参照する。そして、投射制御部１０１は、省電力モードの継続時間のカウント値が予め設定された時間に達したか否かを判定する（ステップＳ３５）。ステップＳ３５の判定における「予め設定された時間」は、上述したように予め設定されている「ＡＶミュートタイマー」に関する所定時間である。
投射制御部１０１は、省電力モードの継続時間のカウント値が設定値に達していない場合（ステップＳ３５；Ｎｏ）、ステップＳ３２に戻る。また、省電力モードの継続時間のカウント値が設定値に達した場合（ステップＳ３５；Ｙｅｓ）、プロジェクター１の電源をオフにして（ステップＳ３６）、動作を終了する。
【００５７】
図５は、プロジェクター１の動作を示すフローチャートである。この図５は、プロジェクター１のカバー閉動作に係る一連の動作を示している。
この図５の動作は、プロジェクター１が通常動作状態で、投射制御部１０１がカバー検出部３１の検出値に基づいて、レンズカバー３０が開位置Ｏにないことを検出した場合に（ステップＳ４１）、開始される。この通常動作状態は、プロジェクター１の電源が投入された後の入力に待機する状態、及び、入力画像データＳ１に基づいて画像をスクリーンＳＣに表示している状態を含む。
ステップＳ４１でレンズカバー３０が開位置Ｏにないことを検出した場合、投射制御部１０１は、レンズカバータイマーの設定値が「オン」か「オフ」かを判定する（ステップＳ４２）。レンズカバータイマーの設定値は、設定画面６０（図３）に基づいて設定され、設定データ１１Ｂに含まれている。
レンズカバー設定の設定値が「オフ」である場合、投射制御部１０１は、カバー閉動作を実行し（ステップＳ４３）、その後にレンズカバー３０が開位置Ｏになるまで待機する（ステップＳ４４）。そして、投射制御部１０１が、カバー検出部３１の検出値に基づいてレンズカバー３０が開かれたことを検出すると（ステップＳ４４；Ｙｅｓ）、通常の投射状態に復帰し（ステップＳ４５）、ステップＳ４１に戻る。
【００５８】
一方、レンズカバータイマーの設定値が「オン」である場合（ステップＳ４２；Ｙｅｓ）、投射制御部１０１は、カバー閉動作を実行する（ステップＳ４６）。また、電力制御部１０２は、省電力モードに移行して放電管４５の供給電力を省電力レベルに下げる（ステップＳ４７）。このステップＳ４７で、投射制御部１０１は、タイマー１０４のカウント値をリセットして、省電力モードの継続時間のカウントを開始させる。
その後、投射制御部１０１は、レンズカバー３０の位置が開位置Ｏになったか否かを判定する（ステップＳ４８）。レンズカバー３０の位置が開位置Ｏとなったことを検出した場合（ステップＳ４８；Ｙｅｓ）、投射制御部１０１は通常の投射状態に復帰して（ステップＳ４９）、ステップＳ４１に戻る。このステップＳ４９で、電力制御部１０２は省電力モードから通常モードに移行する。電力制御部１０２は、図２（Ｃ）に示したように、省電力モードの供給電力レベルから中間のレベルＭまで供給電力のレベルを上げ、その後、所定の速度以下で定格レベルまで上昇させる。
また、レンズカバー３０が開位置Ｏにない場合（ステップＳ４８；Ｎｏ）、投射制御部１０１は、ステップＳ４７でカウントを開始したカウント値を参照する。そして、投射制御部１０１は、省電力モードの継続時間のカウント値が予め設定された時間に達したか否かを判定する（ステップＳ５０）。ステップＳ４９の判定における「予め設定された時間」は、上述したように予め設定されている「レンズカバータイマー」に関する所定時間である。
投射制御部１０１は、省電力モードの継続時間のカウント値が設定値に達していない場合（ステップＳ５０；Ｎｏ）、ステップＳ４８に戻る。また、省電力モードの継続時間のカウント値が設定値に達した場合（ステップＳ５０；Ｙｅｓ）、プロジェクター１の電源をオフにして（ステップＳ５１）、動作を終了する。
【００５９】
以上説明したように、本発明を適用した実施形態に係るプロジェクター１は、光源として放電管４５を備えるプロジェクター１であって、光源駆動部１９と、電力制御部１０２とを備えている。プロジェクター１は、光源駆動部１９により、放電管４５に電力を供給する。また、電力制御部１０２により、光源駆動部１９が放電管４５に供給する電力レベルを制御し、光源駆動部１９により所定電力レベルの電力を供給させる通常モードと、所定電力レベルより低い省電力レベルの電力を供給させる省電力モードと、を実行する。そして、電力制御部１０２は、省電力モードから通常モードに移行する場合に、光源駆動部１９から放電管４５に供給される電力レベルの変化を抑制する。この構成により、放電管４５に供給する電力を省電力レベルにすることで省電力化を図ることが可能となる。また、放電管４５の供給電力を省電力レベルから通常時の所定電力レベルにする場合に電力レベルの変化を抑制し、急峻な電力レベルの変化を防止する。これにより、放電管４５の寿命への影響が懸念される電力レベルまで供給電力を低下させても、通常時の電力レベルに復帰する場合の放電管４５のダメージを防止できる。従って、放電管４５の供給電力を従来よりも大幅に低下させることが可能となり、効果的にプロジェクター１の省電力化を達成できる。
【００６０】
また、電力制御部１０２は、少なくとも、省電力レベル（レベルＬ）より高い中間電力レベル（レベルＭ）から所定電力レベル（レベルＮ）に移行する間の電力レベルの変化を抑制する。これにより、レベルＬ〜Ｍにおいては電力レベルの変化を抑制しない制御が可能である。従って、放電管４５の寿命に影響を与えないように電力レベルの変化を抑制する制御と、放電管４５の寿命に影響しない範囲で速やかに電力レベルを変化させる制御とを両立できる。このため、効果的な省電力化を達成するとともに、放電管４５へのダメージを防止し、かつ、省電力モードから通常モードに移行するために要する時間を短縮できる。
また、電力制御部１０２は、光源駆動部１９が供給する電力レベルをレベルＭからレベルＮに変更する過程の電力レベルの上昇の速度を、レベルＬからレベルＭに変更する過程よりも遅くする。このため、省電力モードで放電管４５の供給電力を、定格電力より大幅に低いレベルＬにしても、放電管４５のダメージを防止できる。従って、効果的な省電力化を達成できる。
【００６１】
また、プロジェクター１は、放電管４５と、光変調装置４２と、投射光学系４３とを含む投射部４０を備える。また、投射制御部１０１により、投射部４０を制御して、光を投射させる投射制御と、投射手段による投射を停止させる非投射制御とを実行する。そして、電力制御部１０２は、投射制御部１０１によって放電管４５を消灯させる過程を含む非投射制御が実行される場合に、省電力モードに移行する。
ここで、非投射制御としては、スリープモード、ＡＶミュート動作、カバー閉動作が挙げられる。この場合、放電管４５を消灯させる過程を含むような、ミュート動作、スリープ動作、またはカバー対応動作が行われる場合に、放電管４５の供給電力を低くして、効果的に省電力化を達成できる。また、ミュート動作、スリープ動作、またはカバー対応動作から通常の動作状態に復帰する場合には、電力レベルの変化が抑制されるため、省電力レベルを低く設定した場合であっても放電管４５の寿命への影響を防止できる。
【００６２】
また、電力制御部１０２は、投射制御部１０１がスリープモードに移行してから予め設定された時間が経過するまで、省電力モードに移行しない。このため、スリープ動作が開始されてから短時間で操作が行われ、スリープ動作から通常の動作状態に復帰する場合の待ち時間を短縮できる。
さらに、電力制御部１０２は、通常モードから省電力モードに移行する場合に、図２（Ａ）の期間Ｔ１や図２（Ｂ）の期間Ｔ２のように、放電管４５の供給電力のレベルを低下させる際のレベル変化を抑制する。このため、省電力レベルを、放電管４５の寿命への影響が懸念されるほど低い電力レベルに設定しても、電力レベルを低下させる過程での放電管４５のダメージを防止できる。
さらに、電力制御部１０２は、放電管４５の供給電力を、所定電力レベルより低く省電力レベルより高い低輝度レベル（図２（Ａ）のレベルＮ´）に設定可能である。そして、通常モードから省電力モードに移行する場合に、レベルＮ´までは電力レベルの変化を抑制せず、レベルＮ´からレベルＬまで下げる過程で、電力レベルの変化を抑制する。この場合、放電管４５の寿命に影響しない範囲で速やかに電力レベルを低下させる制御と、放電管４５の寿命に影響を与えないように電力レベルを低速で低下させる制御とを両立できる。
【００６３】
また、電力制御部１０２は、設定画面６０に基づいて設定された設定値を示す設定データ１１Ｂに基づき、省電力モードに移行する。この場合、スリープモード、ＡＶミュート動作、カバー閉動作が実行される際に放電管４５への供給電力を低下させるか否かを設定できる。このため、省電力モードから通常モードに復帰する場合の待ち時間とユーザーの使用傾向とを考慮した最適な動作を行わせることができる。従って、利便性を損なうことなく、より効果的にプロジェクター１の省電力化を達成できる。
【００６４】
なお、上述した実施形態は本発明を適用した具体的態様の例に過ぎず、本発明を限定するものではなく、上記実施形態とは異なる態様として本発明を適用することも可能である。上記実施形態では、制御部１０の電力制御部１０２が光源駆動部１９を制御し、放電管４５への供給電力を変更させる構成を例示したが、本発明はこれに限定されない。例えば、放電管４５への供給電力を調整する手段を、光源駆動部１９と放電管４５との間に設けてもよい。また、プロジェクター１が備える放電管４５は一つに限定されない。複数の放電管４５を備えた構成において、これら複数の放電管４５への供給電力をまとめて調整する手段を設けてもよいし、個別の放電管４５への供給電力を独立して調整可能な構成としてもよい。さらに、本発明は、電力制御部１０２が、投射制御部１０１がスリープモード、ＡＶミュート動作およびカバー閉動作を実行する場合に省電力モードに移行する例に限定されない。電力制御部１０２は、投射制御部１０１の他の動作に連動して、或いは、投射制御部１０１の動作とは独立して、省電力モードに移行してもよい。
【００６５】
また、例えば、上記実施形態では、光変調装置として、ＲＧＢの各色に対応した３枚の透過型または反射型の液晶ライトバルブを用いた構成を例に挙げて説明した。本発明はこれに限定されるものではなく、例えば、１枚の液晶ライトバルブとカラーホイールを組み合わせた方式としてもよい。また、ＲＧＢ各色の色光を変調する３枚のデジタルミラーデバイス（ＤＭＤ）を用いた方式や、１枚のデジタルミラーデバイスとカラーホイールを組み合わせた方式等により構成してもよい。ここで、表示部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用でき、その他のプロジェクターの細部構成についても任意に変更可能である。
さらに、本発明は、スクリーンに対して投写画像を観察する側から投写するフロント投写型プロジェクターに適用する場合にも適用できる。また、投写画像を観察する側とは反対の側から投写するリア投写型プロジェクターに適用する場合にも可能であり、その他、本発明の適用対象は上記実施形態に限定されない。
【符号の説明】
【００６６】
１…プロジェクター、５…リモコン、１０…制御部、１１…記憶部、１１Ａ…ＯＳＤ画像データ、１１Ｂ…設定データ、１３…入力処理部、１７…光変調装置駆動部、１８…投射光学系駆動部、１９…光源駆動部（放電管駆動手段）、３０…レンズカバー、３１…カバー検出部、４０…投射部（投射手段）、４１…光源部、４２…光変調装置（変調手段）、４３…投射光学系、４５…放電管、４６…投射レンズ、５１…操作パネル、５２…リモコン受光部、６０…設定画面、１０１…投射制御部（投射制御手段）、１０２…電力制御部（電力制御手段）、１０３…設定処理部（設定手段）、１０４…タイマー、ＳＣ…スクリーン。
【図１】
2014126572.tif 000003
【図２】
2014126572.tif 000004
【図３】
2014126572.tif 000005
【図４】
2014126572.tif 000006
【図５】
2014126572.tif 000007